(57)【要約】【課題】データ放送内容を綺麗に印刷する。【解決手段】印刷データ生成手段３０１は、デマルチプレクサ２０２で分別されたデータ放送用データをデータ放送デコーダ２１０で復号及び印刷用割付け処理した印刷用の画像データを印刷用データにして印刷データ記憶手段３０２に記憶し、ＣＰＵ２０７から印刷命令を受け次第、印刷データ記憶手段３０２の記憶内容をプリンタに出力する。画面表示用に動画情報が含まれている場合、印刷用レイアウトの動画部分に、動画の特徴的な内容を示す静止画を用いる。音声による説明がある場合、印刷用レイアウトに、この説明を文字情報として付け加える。更に、静止画においても、印刷用レイアウトには、画面表示用の画像コンテンツより高解像度の画像コンテンツ又は複数枚の静止画像を用いる。文字については、画面表示に用いるフォントより高精細なフォントを用いる。【選択図】  図３
2004229160.tif 000002
【特許請求の範囲】
【請求項１】
デジタル放送を受信する放送受信手段と、
放送受信手段の受信データからデータ放送用データを分別する分別手段と、
受信中のデータ放送の内容を印刷用画像データに復号するデータ放送復号手段と、
前記印刷用画像データから印刷データを生成する印刷データ生成手段と、
前期印刷データ生成手段により生成される印刷データを記憶する記憶手段
とを有し、前記データ放送復号手段によって復号される印刷用画像データは、画面表示されている映像コンテンツとは別の印刷用映像コンテンツからなることを特徴とするデジタル放送受信装置。
【発明の詳細な説明】
【０００１】
【発明の属する技術分野】
本発明は、デジタル放送の放送データ（ＭＰＥＧ２トランスポートストリーム）を受信し印刷するデジタル放送受信装置に関する。
【０００２】
【従来の技術】
従来、デジタルテレビ放送の視聴者は、リモコン等を用いてＩＲＤ（Ｉｎｔｅｇｒａｔｅｄ  Ｒｅｃｅｉｖｅｒ／Ｄｅｃｏｄｅｒ）を操作し、受信したいチャンネルを選択する。放送データには、映像、音声、データ放送及びその他の制御用データが含まれており、その中から指定したチャンネルのデータだけが分別され、復号される。
【０００３】
図２は、従来のＩＲＤの概略構成ブロック図を示す。２０１は、衛星放送、ＣＡＴＶ及び地上波等のデジタルテレビ放送信号を受信し、復調し、エラーを訂正して、ＭＰＥＧ２トランスポートストリーム（以後、ＴＳと呼ぶ）を出力する放送受信手段である。２０２は、ＴＳをＰＩＤ（パケットＩＤ）により、ビデオデータ、オーディオデータ及びデータの各ストリームに分別するデマルチプレクサである。２０３は、デマルチプレクサ２０２により分別されたＭＰＥＧビデオ信号を復号するＭＰＥＧビデオデコーダである。２０４は、ＭＰＥＧビデオデコーダ２０３により復号された映像信号とＣＰＵ２０７により作られた表示データとデータ放送デコーダ２１０により作られた表示データを元に描画した画像を合成し、表示器に合った信号フォーマットに変換する表示データ生成手段である。
【０００４】
２０５は、デマルチプレクサ２０２により分別されたＭＰＥＧオーディオ信号を復号するＭＰＥＧオーディオデコーダである。２０６は、ＭＰＥＧオーディオデコーダ２０５により復号されたデジタル音声信号をアナログ信号に変換するＤ／Ａ変換器である。２０７は、デマルチプレクサ２０２により分別されたデータ信号を解読し、表示すべき情報の場合には表示データ生成手段２０４に出力するＣＰＵ（中央処理装置）である。ＣＰＵ２０７はまた、各部を制御する。
【０００５】
２０８は、図示しないＣＰＵ、ＲＯＭ及びＲＡＭ等から構成されるＩＣカードの読取装置を含み、ＩＣカードに含まれている暗号解読キーと解読プログラムを用いてデマルチプレクサ２０２により暗号化ＴＳを分別させるコンディショナル・アクセス・モジュール（ＣＡＭ）である。２０９は、図示しないリモコン等の操作によりチャンネル選択を行う選局手段である。２１０は、デマルチプレクサ２０２により分別されたデータ信号を復号するデータ放送デコーダである。
【０００６】
使用者がデジタルテレビ放送を視聴するには、ＩＲＤを用いてＴＳを映像、音声及びその他のデータに復号しなければならない。放送受信手段２０１は、衛星放送、ＣＡＴＶ及び地上波等のデジタルテレビ放送信号を受信し、復調し、エラーを訂正する。デマルチプレクサ２０２は、放送受信手段２０１の出力信号を、ＭＰＥＧビデオ信号、ＭＰＥＧオーディオ信号、データ放送のデータ信号、及びその他のデータ信号に分離する。暗号化されたＴＳの場合、ＣＡＭ２０８の暗号解読キーと解読プログラムが必要となる。
【０００７】
ＭＰＥＧビデオデコーダ２０３は、ＭＰＥＧ方式で圧縮されているビデオ信号を復号し、表示データ生成手段２０４に送る。表示データ生成手段２０４は、表示器にあった信号フォーマットに変換し出力する。ＭＰＥＧオーディオデコーダ２０５は、ＭＰＥＧ方式で圧縮されているオーディオ信号を復号し、Ｄ／Ａ変換器２０６に供給する。Ｄ／Ａ変換器２０６は、入力デジタル信号をアナログ信号に変換し、左チャンネルと右チャンネルの音声信号として出力する。
【０００８】
データ放送デコーダ２１０は、データ放送のデータを元にＢＭＬ（Ｂｒｏａｄｃａｓｔｉｎｇ  Ｍａｒｋｕｐ  Ｌａｎｇｕａｇｅ）文書を解釈し、その解釈結果は、表示データ生成手段２０４により画像データに変換され、表示器により表示される。
【０００９】
視聴者が表示内容を印刷するときには、映像出力信号から画像を取り込み、取り込んだ画像を印刷するという方法が用いられる。
【００１０】
【発明が解決しようとする課題】
従来、デジタル放送受信装置でデータ放送を受信し、その内容を印刷する場合、表示画面の内容をそのまま取り込んで印刷データを作っていので、１００ｄｐｉ程度の解像度の画像を用いなければならなかった。
【００１１】
また、データ放送では、動画又は音声若しくはその両方のコンテンツが含まれているが、画面そのままを印刷したのでは、動画又は音声の情報が不足してしまう。
【００１２】
従来例では、印刷のためのレイアウトが表示画面そのままであるので、１枚の印刷物に含まれる情報は乏しいものとなっていた。
【００１３】
本発明は、このような不都合を解消するデジタル放送受信装置を提示することを目的とする。
【００１４】
【課題を解決するための手段】
このような課題を解決するため、本発明によれば、使用者が見ているデータ放送の内容を印刷する際、印刷用の画像コンテンツとレイアウトを別途用意することで、表示している画像より高解像度で情報量の多い印刷画像を得ることが可能となる。
【００１５】
【実施例】
以下、図面を参照して、本発明の一実施例を詳細に説明する。
【００１６】
（第１実施例）
図１は、本発明を適用する衛星放送システムの概略構成ブロック図を示す。１は、放送を受信し、受信結果を出力するＩＲＤ、２は、ＩＲＤ１で生成した印刷用データをもとに印刷を行うプリンタ、３は、ＩＲＤ１から出力される番組の映像及び音声を出力するモニタ、４は、放送衛星９からのデジタルテレビ放送信号を受信し、ＩＲＤ１に入力する受信アンテナである。５は、ＩＲＤ１とプリンタ２をつなぐプリンタケーブル、６は、ＩＲＤ１とモニタ３をつなぎ、映像音声信号を伝送するＡＶケーブルである。
【００１７】
７は、映像、音声及びデータ放送用データをＭＰＥＧ２方式でエンコードし、各エレメンタリーストリーム及びその他制御用データをＴＳに多重して送信する放送局である。８は、放送局７からＴＳを放送衛星９に送出する送信アンテナである。９は、放送局７から送られたＴＳを受け、ＩＲＤ１に放送信号として送出する放送衛星である。
【００１８】
放送局７は、印刷用の制御情報及び画像コンテンツを含むデータ放送用データが入ったデジタルテレビ番組を製作し、送信アンテナ８を用いて放送衛星９にＴＳを送信する。ＩＲＤ１は、放送衛星９から送信される放送信号を受信アンテナ４で受信し、ＴＳを分別してそれぞれのデータを復号し、映像音声信号をＡＶケーブル６を介してモニタ３に出力すると共に、データ放送のデータをモニタ３に出力する。また、使用者が図示しないリモコン等を用いて視聴中のデータ放送の印刷を指示すると、ＩＲＤ１は、プリンタケーブル５を通してプリンタ２に印刷用データを出力する。
【００１９】
図３は、ＩＲＤ１の概略構成ブロック図を示す。図２に示す従来例と同じ構成要素には同じ符号を付してある。３０１は、デマルチプレクサ２０２で分別されたデータ放送用データをデータ放送デコーダ２１０で復号及び印刷用割付け処理した印刷用の画像データを印刷用データにして印刷データ記憶手段３０２に記憶し、ＣＰＵ２０７から印刷命令を受け次第、印刷データ記憶手段３０２の記憶内容をプリンタ２に送る印刷データ生成手段である。３０２は、印刷データ生成手段３０１で生成された最新の印刷用データを記憶する印刷データ記憶手段である。
【００２０】
視聴者は、データ放送を印刷する際、ＩＲＤ１に対して図示しないリモコン等を用いて印刷指示を出す。視聴者からの印刷指示以前に、データ放送デコーダ２１０は、モニタ２に表示するための画像データを生成するためにＢＭＬ文書の記述内容をもとに画面表示用レイアウトを決め、コンテンツを復号する。印刷用の印刷画像データについても、ＢＭＬ文書の印刷用の記述をもとに印刷用レイアウトを決め、コンテンツを復号し、表示用画像データに対応した印刷用画像データを印刷データ生成手段３０１に送る。
【００２１】
画面表示用レイアウトと印刷用レイアウトの主な違いとして、画面表示用に動画情報が含まれている場合、印刷用レイアウトは、この動画部分に動画の特徴的な内容を示す静止画を割り付ける。また、音声による説明がある場合、印刷用レイアウトは、この説明を文字情報として付け加えることができる。更に、静止画においても、印刷用レイアウトには、画面表示用の画像コンテンツより高解像度の画像コンテンツを用いたり、複数枚の静止画像を用いたりすることができる。文字については、画面表示に用いているフォントより高精細なフォントを指定して用いる。
【００２２】
印刷を行うためのこの処理を終えた印刷用画像データを用いて、印刷データ生成手段３０１は、印刷用データを生成して印刷データ記憶手段３０２に記憶し、印刷指示によってプリンタ２に印刷用データを送る。
【００２３】
このような構成により、視聴者は、視聴しているデータ放送の内容を、より詳しく且つより綺麗な画像として印刷できる。
【００２４】
図４は表示用データの表示イメージ例を示し、図５は、図４に対応する印刷用データの印刷イメージ例を示す。４０１〜４０６は、データ放送で表示されているコンテンツである。４０７〜４１１は、印刷用のコンテンツである。
【００２５】
４０１は動画であり、印刷するためにはキャプチャ等の処理が必要となるが、印刷用には別途用意されている動画に対応する静止画群４０７を用いる。
【００２６】
４０２は静止画であり、印刷にそのまま使えるが、印刷用には別途用意されているより解像度が高い静止画４０８を用いる。
【００２７】
４０３はデータ放送のタイトルであり、大きなフォントが用いられている。印刷用には、別のフォント４０９に置き換えている。
【００２８】
４０４は文字情報である。印刷用に別のフォント４１０に置き換えている。
【００２９】
４０５，４０６は画面操作を行うための表示であり、印刷用には省いている。
【００３０】
４１１は、画面表示には存在しないが、データ放送の音声で説明されていた内容である。印刷用には文字情報として入れてある。
【００３１】
このように、より多くの情報をより綺麗に印刷するために、ＢＭＬ文書の印刷用記述により画像ファイルとフォントの置き換え及びコンテンツの追加を行って、印刷用画像データを生成する。
【００３２】
（第２実施例）
本発明の第２実施例は、ＢＭＬ文書の印刷用記述を用い、画面表示を行わずに印刷のみを行うことを特徴とする。システム構成及びＩＲＤ１の内部構成は第１実施例と同じである。
【００３３】
放送局等の送信側で作成するＢＭＬ文書内に印刷用記述を用い、印刷に対応したＩＲＤ１のデータ放送デコーダ２１０は、印刷用記述を判断し、印刷用記述に書かれたレイアウト、画像及びフォントを用いて印刷用データを生成する。
【００３４】
現在、データ放送で用いられている文章には、ＩＲＤ１に装備されるフォントを用いずに送信側がデザインし静止画データを用いることで対応している場合がある。しかし、この文字の静止画データは、１００ｄｐｉ程度の解像度であり、プリンタ２で印刷するには解像度が低すぎて、プリンタ２の性能を十分発揮した印刷物にすることができない。また、データ放送で用いられている画像についても、１００ｄｐｉ程度とプリンタ２で用いるには解像度が低すぎる。そこで、送信側が表現力をより発揮するためには、印刷用記述を用いて表示用と印刷用を別々に用意するのが望ましい。印刷に対応していないＩＲＤ１の場合は、印刷用記述の部分を無視すればよく、これにより互換性を保つことができる。
【００３５】
クーポン券を得るためのデータ放送の例を用いて、本実施例を説明する。図６は、データ放送の表示例を示す。５０１は、リモコン等を用いて選択可能な選択肢からなり、各選択肢に印刷用記述が対応している選択ボタン群である。５０２は、選択ボタン群５０１の内の一つであり、ここでは、缶飲料のクーポンに対応する選択ボタンである。５０３は、ツリー上のリンクの前画面に戻るための戻るボタンである。
【００３６】
視聴者は、本ページにおいて図示しないリモコン等を用いて選択ボタン群５０１及び戻るボタン５０３の何れかを選択することが可能である。希望するクーポン券が存在する場合、選択ボタン群５０１の中の一つを選択し、決定する。また、前画面に戻る場合は、戻るボタン５０３を選択し、決定する。
【００３７】
選択ボタン５０２を押すと、ＢＭＬ文書中のこの選択ボタンに対応する印刷用記述により、クーポン券を印刷する命令がデータ放送用デコーダ２１０により実行される。この実行結果は画面には表示されず、プリンタ２から印刷物として出力される。図７は、印刷結果例を示す。印刷用記述は、印刷に必要なレイアウト情報、画像ファイル情報、文字情報及びフォント情報などを含む。
【００３８】
このように、印刷はしたいが画面に出す必要のない情報等は、ＢＭＬ文書に印刷用記述として含めればよい。表示画面とは独立して印刷用のレイアウトを自由に設定又は選択できるので、クーポン券以外にも、カタログ、案内状、広告、テキスト、新聞及び書籍等のあらゆる資料の印刷が可能となる。
【００３９】
（好ましい実施態様）
以下、本発明の好ましい実施態様を列挙する。
【００４０】
【実施態様１】デジタル放送を受信する放送受信手段と、
放送受信手段の受信データからデータ放送用データを分別する分別手段と、
受信中のデータ放送の内容を印刷用画像データに復号するデータ放送復号手段と、
前記印刷用画像データから印刷データを生成する印刷データ生成手段と、
前期印刷データ生成手段により生成された印刷データを記憶する記憶手段
とを有し、前記データ放送復号手段によって復号される印刷用画像データは、画面表示されている映像コンテンツとは別の印刷用映像コンテンツからからなることを特徴とするデジタル放送受信装置。
【００４１】
【実施態様２】前記データ放送用データに含まれる前記印刷用映像コンテンツは、画面表示されている映像コンテンツより高解像度な映像コンテンツからなることを特徴とする実施態様１に記載のデジタル放送受信装置。
【００４２】
【実施態様３】前記データ放送復号手段によって復号される印刷用画像データは、画面表示されている映像コンテンツより高解像度な映像コンテンツからなることを特徴とする実施態様１に記載のデジタル放送受信装置。
【００４３】
【実施態様４】デジタル放送を受信する放送受信手段と、
前期放送受信手段の受信データからデータ放送用データを分別する分別手段と、
受信中のデータ放送の内容を印刷用画像データに復号するデータ放送復号手段と、
前記印刷用画像データから印刷データを生成する印刷データ生成手段と、
前期印刷データ生成手段により生成された印刷データを記憶する記憶手段
とを有し、
前記データ放送復号手段は印刷を目的とした制御情報を解釈することを特徴とするデジタル放送受信装置。
【００４４】
【実施態様５】映像、音声、データ放送用データをＭＰＥＧ２方式でエンコードし、各エレメンタリーストリーム及びその他制御用データをトランスポートストリームにマルチプレクスして送信するデジタル放送システムであって、前記データ放送用データは、印刷することを目的とした制御情報と印刷用映像コンテンツを含むことを特徴とするデータ放送システム。
【００４５】
【発明の効果】
以上の説明から容易に理解できるように、本発明によれば、視聴しているデータ放送の印刷を行う際、予め印刷に用いる高解像度なコンテンツを送っておくことで、視聴者の印刷の指示に対して、綺麗で素早い印刷を行うことが可能となる。また、ＢＭＬ文書に印刷用記述を用いることで、より容易にデータ放送による印刷を行うことが可能となる。
【図面の簡単な説明】
【図１】本発明の実施例を適用する衛星放送システムの基本構成図である。
【図２】従来のＩＲＤの概略構成ブロック図である。
【図３】本発明の第１実施例であるＩＲＤの概略構成ブロック図である。
【図４】第１実施例におけるデータ放送の表示画面例である。
【図５】図４に対応する印刷例である。
【図６】第２実施例におけるデータ放送の表示例である。
【図７】第２実施例におけるデータ放送の印刷例である。
【符号の説明】
１：ＩＲＤ
２：プリンタ
３：モニタ
４：受信アンテナ
５：プリンタケーブル
６：ＡＶケーブル
７：放送局
８：送信アンテナ
９：放送衛星
２０１：放送受信手段
２０２：デマルチプレクサ
２０３：ＭＰＥＧビデオデコーダ
２０４：表示データ生成手段
２０５：ＭＰＥＧオーディオデコーダ
２０６：Ｄ／Ａ変換器
２０７：ＣＰＵ
２０８：コンディショナル・アクセス・モジュール（ＣＡＭ）
２０９：選局手段
２１０：データ放送デコーダ
３０１：印刷データ生成手段
３０２：印刷データ記憶手段
【図１】
2004229160.tif 000003
【図２】
2004229160.tif 000004
【図３】
2004229160.tif 000005
【図４】
2004229160.tif 000006
【図５】
2004229160.tif 000007
【図６】
2004229160.tif 000008
【図７】
2004229160.tif 000009